(57)【特許請求の範囲】
【請求項１】
指向性光を出射する光源装置と、前記指向性光の光軸に対して略垂直な入射面を有する反射型の光変調装置との間に配置される光学装置であって、
前記指向性光の光路を規定し、前記指向性光の光軸に対して傾斜され、前記光源装置から出射された前記指向性光が透過する偏光分離部と、
前記指向性光の光路を規定して前記偏光分離部の後に前記指向性光が通過し、通過した前記指向性光が前記光変調装置により変調されて指向性変調光として入射すると、前記指向性変調光の複屈折による偏光回転及び位相変化を補償する補償部と、を備え、
前記偏光分離部及び前記補償部の、前記光軸に対する傾斜の角度が、互いに異なり、
前記補償部は、外気との界面において生じる反射光が前記偏光分離部に到達しない角度に傾斜され、
前記偏光分離部は、前記補償部を経由後の前記指向性変調光を反射する
光学装置。
【請求項２】
前記偏光分離部と前記補償部とが、互いにねじれの位置にある
請求項１に記載の光学装置。
【請求項３】
前記指向性光が、前記偏光分離部の、前記補償部とは反対側の面で反射される
請求項１又は２に記載の光学装置。
【請求項４】
前記指向性光の、前記偏光分離部内における光路長が、前記補償部内における光路長の略２倍である
請求項１〜３のいずれか１項に記載の光学装置。
【請求項５】
前記光軸に対する前記補償部の傾斜角が、ブリュースター角を基に選定される
請求項１〜４のいずれか１項に記載の光学装置。
【請求項６】
前記偏光分離部が、ワイヤーグリッド偏光子である
請求項１〜５のいずれか１項に記載の光学装置。
【請求項７】
前記補償部が、複屈折材料よりなる
請求項１〜６のいずれか１項に記載の光学装置。
【請求項８】
前記補償部の少なくとも一部が、前記光軸に対して略垂直な面内異方性軸を有する
請求項１〜７のいずれか１項に記載の光学装置。
【請求項９】
前記補償部は、互いに異なる材料による多層構造とされ、
少なくとも１つの層が、前記光軸に対して略垂直な面内異方性軸を有する
請求項１〜７のいずれか１項に記載の光学装置。
【請求項１０】
前記少なくとも１つの層は、垂直複屈折を有する
請求項９に記載の光学装置。
【請求項１１】
指向性光を出射する光源装置と、
前記指向性光の光軸に対して略垂直な入射面を有し、前記指向性光を変調する反射型の光変調装置と、
前記光源装置と前記光変調装置との間に配置された光学装置と、を備え、
前記光学装置は、
前記指向性光の光路を規定し、前記指向性光の光軸に対して傾斜され、前記光源装置から出射された前記指向性光が透過する偏光分離部と、
前記指向性光の光路を規定して前記偏光分離部の後に前記指向性光が通過し、通過した前記指向性光が前記光変調装置により変調されて指向性変調光として入射すると、前記指向性変調光の複屈折による偏光回転及び位相変化を補償する補償部と、を備え、
前記偏光分離部及び前記補償部の、前記光軸に対する傾斜の角度が、互いに異なり、
前記補償部は、外気との界面において生じる反射光が前記偏光分離部に到達しない角度に傾斜され、
前記偏光分離部は、前記補償部を経由後の前記指向性変調光を反射する
投射装置。
【発明の詳細な説明】
【技術分野】
【０００１】
本発明は、指向性光に対する偏光分離能を有する光学装置及び投射装置に関する。
【背景技術】
【０００２】
光源装置から供給される指向性光を、例えば液晶や所謂デジタルマイクロミラーデバイス（Digital MicromirrorDevice；ＤＭＤ）による光変調装置によって光変調させ、映像出力などを行うように構成された投射装置が知られている。
この投射装置においては、所望の波長帯域を有するレーザやＬＥＤ（Light Emitting Diode）などを光源装置として用いることや、ランプなどの光源装置からの光を所望の波長帯域ごとに分離し、レンズなどを使うことで、多数の指向性光を得ることができる。そして、この各指向性光が光変調されることにより、例えばスクリーン上に映像を表示させる投射すなわち出力がなされる。
【０００３】
ところで、このような光変調において、上述した光変調装置のみで所望の変調光を得ることは困難とされている。
例えば、上述した光変調装置が液晶により構成される場合には、液晶内の一部で形成される、液晶の配向特性を規定するためのプレチルト角によって、本来光変調の必要がない指向性光に対しても光変調がなされてしまう。また例えば、上述した指向性光が光路幅を有する所謂スキュー光である場合には、光変調装置の入射面に対して垂直な光軸を有する指向性光を導入しても、例えば集光に伴って、入射面に対して垂直でない成分を一部含むために、この一部が非変調成分となってしまう。すなわちこれらの場合には、光変調装置からの指向性変調光は、所望の変調光とは異なる偏光成分を含んでしまう。
【０００４】
これに対し、投射装置において、所定の変調がなされた偏光のみを選択的に反射ないし透過させる偏光分離部と、指向性変調光に含まれる上述の偏光成分を補償するための補償部とによる光学装置が設けられた構成が提案されている（例えば特許文献１参照）。
この構成によれば、例えば図８に示すように、光源装置１０４からの指向性光を、偏光分離部１０２及び補償部１０３による光学装置１０１を経て光変調装置１０５に導入し、変調された指向性光を再び補償部１０３を経て偏光分離部１０２で反射させることによって、所望の投射すなわち出力が図られている。
【０００５】
また、図示しないが、光変調装置に関して光源装置とは反対側に偏光分離部を設け、この偏光分離部に併設される補償部を、指向性光の光軸に対して傾けた構成による投射装置も提案されている（例えば特許文献２参照）。
この構成によれば、投射装置の偏光分離部を例えば所謂MacNeilleプリズムによって構成した場合に必要とされるスキュー光の補償が可能とされる。
【先行技術文献】
【特許文献】
【０００６】
【特許文献１】特開２００２−３７２７４９号公報
【特許文献２】特開２００３−３３７３７５号公報
【発明の概要】
【発明が解決しようとする課題】
【０００７】
しかしながら、上述の特許文献２に記載の発明によって、例えば上述のMacNeilleプリズムに比してより高いコントラストを得ることが可能なワイヤーグリッド偏光子を用いた構成や、光変調装置に対して光源装置と光学装置が同じ側に配置される所謂反射型の構成において生じる、特有の問題を解決することは難しい。
例えば、上述の特許文献１に記載の発明による場合には、図９に示すように、補償部１０３の界面における反射によって生じる指向性光の反射成分が、偏光分離部１０２に入射することにより出力映像のコントラストが低下するなど、光学特性における問題が生じる。
【０００８】
すなわち、光源装置１０４から偏光分離部１０２を通過して補償部１０３に入射する段階（図中Ａ点）で生じる反射成分は偏光が回転していないために偏光分離部１０２を通過するが、補償部１０３内に入射した後に出射する段階（図中Ｂ点）で生じる反射成分や、光変調装置１０５で変調されて指向性変調光となった後に補償部１０３に再入射する段階（図中Ｃ点）で反射されて生じる成分、更には光変調装置１０５で変調された後に補償部１０３に再入射した後に出射する段階（図中Ｄ点）で反射されて生じる成分は、補償部１０３内を往復することや光変調装置１０５で繰り返し変調されることによって偏光が回転し、本来の意図に反して偏光分離部１０２で反射され、出力されてしまう。
【０００９】
また、補償部１０３の界面に反射防止（Anti Reflective；ＡＲ）膜を設けることによって反射率の低下を図ることも可能ではあるものの、反射そのものを完全に回避することや、投射装置として充分なコントラスト（例えば白と黒の輝度比を暗所で測定した場合における暗所コントラスト１００００：１）を可能とすることは難しく、反射防止膜の特性向上には多層化などの工夫も必要であることから、反射防止膜によって光学特性の低下を抑制することは煩雑であり、コストも増大してしまう。
【００１０】
本発明は、上述の諸問題を鑑み、指向性光に対する偏光分離能及び光学特性の向上が図られた投射装置と、この投射装置を構成する光学装置を提供するものである。
【課題を解決するための手段】
【００１１】
本発明に係る光学装置は、指向性光を出射する光源装置と、前記指向性光の光軸に対して略垂直な入射面を有する反射型の光変調装置との間に配置される。この光学装置は、指向性光の光路を規定し、指向性光の光軸に対して傾斜され、光源装置から出射された指向性光が透過するた偏光分離部と、指向性光の光路を規定して偏光分離部の後に指向性光が通過し、通過した指向性光が光変調装置により変調されて指向性変調光として入射すると、指向性変調光の複屈折による偏光回転及び位相変化を補償する補償部とを備える。偏光分離部及び補償部の、光軸に対する傾斜の角度は、互いに異なっている。そして、補償部は、外気との界面において生じる反射光が前記偏光分離部に到達しない角度に傾斜され、偏光分離部は、補償部を経由後の指向性変調光を反射する。
【００１２】
本発明に係る投射装置は、指向性光を出射する光源装置と、指向性光の光軸に対して略垂直な入射面を有し、指向性光を変調する反射型の光変調装置と、光源装置と光変調装置との間に配置された上述の光学装置とを備える。
【発明の効果】
【００１３】
本発明に係る光学装置によれば、補償部界面で生じる反射光が、偏光分離部に到達しない。これにより、補償部界面で生じる反射光が、偏光分離部から出射される指向性変調光に混ざり込むことを回避できる。
【００１４】
本発明に係る投射装置によれば、補償部界面で生じる反射光が、偏光分離部から出射される指向性変調光に混ざり込むことを回避でき、出力すなわち投射におけるコントラストの向上を図ることができる。
【図面の簡単な説明】
【００１５】
【図１】本発明に係る光学装置の一例の構成を示す概略構成図である。
【図２】Ａ，Ｂ  それぞれ、本発明に係る光学装置の一例における、補償部の一例を示す模式図である。
【図３】Ａ，Ｂ  それぞれ、本発明に係る光学装置の一例における、補償部の他の例を示す模式図である。
【図４】Ａ，Ｂ  それぞれ、本発明に係る光学装置の他の例を示す概略上面図及び概略側面図である。
【図５】偏光分離部と補償部の、指向性変調光の光軸に対する配置の一例を示す奢侈図である。
【図６】Ａ，Ｂ  それぞれ、本発明に係る光学装置の他の例を示す概略上面図及び概略側面図である。
【図７】本発明に係る投射装置の一例の構成を示す概略構成図である。
【図８】従来の光学装置の説明に供する模式図である。
【図９】従来の光学装置の説明に供する模式図である。
【発明を実施するための形態】
【００１６】
以下、図面を参照して本発明の実施の形態を説明する。
【００１７】
＜光学装置の第１の実施形態＞
本発明に係る光学装置の第１の実施の形態を説明する。
図１は、本発明に係る光学装置１の一例の構成を示す概略構成図である。
【００１８】
本実施形態に係る光学装置１は、図１に示すように、少なくとも、偏光分離部２と、補償部３とを有する。
また、本実施形態においては、光学装置１の主たる構成部である偏光分離部２及び補償部３とは別に、これら偏光分離部２及び補償部３によって光路を規定される指向性光の光源装置４と、光源装置４からの指向性光の光軸に対して略垂直な入射面を有する、例えば液晶による光変調装置５とが設けられる。
【００１９】
偏光分離部２は、所謂ワイヤーグリッド偏光子により構成され、光源装置４からの指向性光の光軸に対して所定の角度例えば４５°の傾斜を有して配置される。
この偏光分離部２は、MacNeilleプリズムなど他の部材によって構成することもできるが、MacNeilleプリズムはｓ偏光とｐ偏光の分離に特化した構成とされているためにスキュー光入射に対する補償が別途必要となるのに対し、ワイヤーグリッド偏光子は、偏光子を構成するワイヤーの、平行方向と垂直方向のそれぞれに対する偏光を分離する構成とされているために補償の必要がないことに加え、特に高いコントラストを得ることが可能であることから、ワイヤーグリッド偏光子によって偏光分離部２を構成することが好ましい。また、偏光分離部２の偏光選択性は、光源装置４からの指向性光を透過し、透過した後に生じる、光変調装置５による変調及び補償部３による補償がなされた指向性変調光Ｌ１を反射するように、選定ならびに設計することが好ましい。
【００２０】
補償部３は、例えばガラス等の板状の光学材料により構成され、光源装置４からの指向性光の光軸に対して、所定の傾斜を有して配置される。
この補償部３は、後述するように、光変調装置５を構成する液晶からの指向性変調光Ｌ１の、複屈折による偏光回転や位相変化を補償するものであり、例えば、光変調装置５を構成する液晶内の一部に形成される、液晶の配向特性を規定するプレチルト角や、光変調装置５に入射する指向性光の、光変調装置の入射面に対して垂直でない成分などに基づいて生じる偏光成分に対応して設けられる。なお、指向性光の光軸に対する補償部３の傾斜角度は必ずしも偏光分離部２の傾斜角度と同じにする必要はなく、構成する材料の屈折率などとともに、主として光変調装置５を構成する液晶に対応させた上で、後述するように光軸に対して角度選定することが好ましい。
【００２１】
光源装置４は、例えば超高圧水銀ランプによる放電ランプや、レーザなどによることができる。所定の波長帯域を有するレーザなどを用いることや、放電ランプの光を所定の波長帯域ごとに分離することなどによって、所望の指向性光を形成することができる。
【００２２】
光変調装置５を構成する液晶は、本実施形態においては、電圧をかけていない状態で、液晶分子が入射面に対して略垂直すなわち指向性光の光軸に対して略平行に配列する、所謂ノーマリーブラックの垂直配向型（VA；Vertically Aligned）の液晶によることができる。
【００２３】
本実施形態において、光源装置４から出射された指向性光は、光学装置１を構成する偏光分離部２及び補償部３をこの順に通過して所定の偏光とされ、光軸を光変調装置５の入射面に略垂直として入射する。光変調装置５において、入射した指向性光が所定量変調され、所望の指向性変調光として補償部３に向けて出射される（Ｌ１）。補償部３において補償をなされた指向性変調光（Ｌ２）のうち、所定の変調偏光のみが選択的に偏光分離部２で反射され、例えばスクリーン（図示せず）が配置される所定の方向へ向かい、投射ないし出力される（Ｌ３）。
【００２４】
ここで、光源装置４からの指向性光と光変調装置５からの指向性変調光とは、補償部３と外気との界面においてそれぞれ反射光Ｌを生じるものの、補償部３の界面が指向性光及び指向性変調光の光軸に対して傾斜を有して設けられていることから、反射光Ｌは指向性変調光Ｌ３に混入することなく、所望の変調光のみが投射すなわち出力される。
光軸に対する補償部３の傾斜角度は、偏光分離部２及び光変調装置５との距離や、指向性光及び指向性変調光の光路幅、スキュー光としての幅や角度、ならびに偏光分離部２の傾斜角度に応じて選定することができるが、通常、光路幅は偏光分離部２との距離に比して小さいことから、補償部３の傾斜角度は極端に大きくなくとも良い。なお、偏光分離部２とは異なる傾斜角度に選定することにより、反射光Ｌが補償部３に戻って再び指向性変調光Ｌ２に混ざることを、より確実に回避することができる。
【００２５】
図２及び図３は、それぞれ、補償部３の構成の一例を示す。
本実施形態における補償部３は、偏光回転や位相変化を補償する所謂ワイヤーグリッド偏光子による板状構成を有するが、例えば下地部材上に複屈折材料層が形成された、すなわち互いに異なる材料による多層構造の少なくとも一部が、光変調装置５の入射面に対して略垂直とされる指向性光及び指向性変調光の光軸（図示せず）に対して、垂直な面内異方性を有していることが好ましい。すなわち、補償部３を指向性光の光軸に対して傾斜させて配置する場合には、補償部３の複屈折材料の異方性の主軸を、光軸に対応して選定することが好ましい。
【００２６】
例えば、図２に示すように、補償部３を、板状の下地部材３ａ上に、光軸に対して垂直な面内で直交する方向の屈折率ｎｘ及びｎｙが互いに異なる、所謂面内複屈折を有する複屈折材料層３ｂ上に蒸着して形成する場合に、下地部材３ａに対して、上述した光軸に対する傾斜角度分だけ斜めに蒸着させて形成することによって、本実施形態におけるように、光軸に対して補償部３を傾斜させて配置した場合でも、光変調装置５において上述のプレチルト角に由来して生じた余剰偏光成分を補償することができる。
【００２７】
また、下地部材３ａ上に斜め蒸着によって形成される複屈折材料層３ｂについて、指向性光の光軸に平行な方向の屈折率ｎｚと、上述したｎｘ及びｎｙとを互いに異ならせる所謂垂直複屈折を有する複屈折材料で構成することによって、光変調装置５において上述のスキュー光に由来して生じた余剰偏光成分を補償することができる。すなわち、光変調装置５内の複屈折率及び光路長は、光変調装置５の入射面に垂直に入射する成分を対象として設計されているため、スキュー光の一部は所望の変調をなされない偏光成分として指向性変調光Ｌ２に混ざり込んでしまうが、補償部３において指向性変調光Ｌ２の光軸に対して垂直複屈折を形成することにより、この偏光成分を補償することができる。
【００２８】
なお、本発明に係る光学装置及び投射装置を構成する補償部３の構成はこれに限られず、例えば図３に示すように、三角形や台形などの断面形状を有する下地部材３ｃ及び３ｄによって、面内異方性のある延伸ポリマーなどの媒質よりなる複屈折材料層３ｅを、挟み込んだ構成とすることもできるなど、種々の形状及び構成をとることができる。
【００２９】
＜光学装置の第２の実施形態＞
本発明に係る光学装置の第２の実施形態を説明する。この第２実施形態では、第１実施形態と異なる部分のみを説明する。説明を省略する部分は、第１実施形態と同様であることとする。また、説明上、第１実施形態と重複する構成要素には、同一の符号を付して重複説明を省略する。
【００３０】
図４Ａ及び図４Ｂは、それぞれ、本実施形態に係る光学装置１の一例の構成を示す概略上面図及び概略側面図である。
上述の第１の実施形態に係る光学装置による場合、すなわち補償部３を指向性変調光Ｌ２の光軸に対して傾斜させて配置する場合には、偏光の補償が図られるものの、非点収差が生じるおそれがあり、場合によっては指向性変調光Ｌ３を更に補正する必要が生じてくる。
しかしながら、本実施形態におけるように、偏光分離部２と補償部３とによって指向性光の光路を規定する場合に、偏光分離部２を構成する反射分離構造、例えばワイヤーグリッド偏光子の偏光分離面を、補償部３とは反対側すなわち例えば光源装置４側に設け、更に偏光分離部２と補償部３とを、互いにねじれの位置になるように、例えば偏光分離部２がｙ軸及びｚ軸に対し傾斜を有し、補償部３がｘ軸及びｚ軸に対し傾斜を有するように、それぞれ指向性光の光軸に対して傾斜させて配置することによって、この非点収差の補正を行うことができる。
【００３１】
また、より確実に非点収差を取り除くためには、図５に示すように、例えば偏光分離部２と補償部３とを、互いにねじれの位置になるように、それぞれ光軸に対して傾斜させて配置する場合に、補償部３内における指向性変調光の光路長を、偏光分離部２内における指向性変調光の光路長の略２倍とすることが好ましい。
これは、指向性変調光の、補償部３内の通過が一度だけであるのに対して、偏光分離部２内の通過は反射の前後二度、つまり往復であるためである。具体的には、例えば偏光分離部２と補償部３とを、互いにねじれの位置になるように、それぞれ指向性変調光の光軸に対して４５°の傾斜で配置する場合に、補償部３の厚さを偏光分離部２の厚さの略２倍とすることによって、偏光分離部２と補償部３とを互いにねじれの位置に配置するのみの場合に比べ、より確実に非点収差を取り除くことができる。
【００３２】
＜光学装置の第３の実施形態＞
本発明に係る光学装置の第３の実施形態を説明する。この第３実施形態では、第１実施形態と異なる部分のみを説明する。説明を省略する部分は、第１実施形態と同様であることとする。また、説明上、第１実施形態と重複する構成要素には、同一の符号を付して重複説明を省略する。
【００３３】
図６Ａ及び図６Ｂは、それぞれ、本実施形態に係る光学装置１の一例の構成を示す概略上面図及び概略側面図である。
上述の第１の実施形態に係る光学装置による場合、すなわち補償部３を指向性変調光Ｌ２の光軸に対して傾斜させて配置する場合には、偏光の補償が図られるものの、指向性変調光に対する反射自体を完全に抑制することは難しいため、指向性変調光の光学特性例えば輝度の低下が発生するおそれがある。
しかしながら、本実施形態におけるように、補償部３に入射する指向性変調光に基づいて補償部３の界面で発生する屈折光の光軸と反射光の光軸とが９０°となるように補償部３の傾斜角度θを選定し、角度θがｐ偏光に対するブリュースター角もしくはその近傍の角度になるように、つまりブリュースター角を基に選定することにより、指向性変調光のｐ偏光の反射率を選択的に低減させることができ、投射におけるコントラストのみならず、例えば輝度を向上させることができる。具体的には、例えば、補償部３を屈折率１．５２のガラスで構成した場合、ブリュースター角は５６°となる。
【００３４】
＜投射装置の実施形態＞
本発明に係る投射装置の実施形態を説明する。
図７は、本実施形態に係る投射装置の構成を示す概略構成図である。
本実施形態において、投射装置６０は、光源装置６１と、光変調装置６２と、投影光学部６３と、光学装置６４とを有する。
【００３５】
光源装置６１としては、放電ランプ１２を光源として用い、放電ランプ１２の出射側には、第１フライアイレンズ１６、第２フライアイレンズ１７、偏光ビームスプリッター１８、コンデンサーレンズ１９を介して、赤色帯域の光を分離して反射する第１のダイクロイックミラー４２と、青色光、緑色光を反射する第２のダイクロイックミラー４３とが合成されて配置される。
第１のダイクロイックミラー４２の反射側には、光路を例えば９０°変換された光軸上にミラー４１が設けられ、ミラー４１の光出射側には、赤色光用フィールドレンズ２７Ｒ、偏光分離部３３Ｒが配置され、偏光分離部３３Ｒにより光路を例えば９０°変換された光軸上に赤色光に対応する反射型の液晶パネル２８Ｒが配置される。
【００３６】
また、第２のダイクロイックミラー４３の反射側に、光軸を例えば９０°変換された位置にミラー２１が配置され、このミラー２１により例えば９０°光路を変換された位置に例えば緑色光を反射する第３のダイクロイックミラー４４が配置される。この第３のダイクロイックミラー４４の反射側にはフィールドレンズ２７Ｇを介して偏光分離部３３Ｇが配置され、偏光分離部３３Ｇにより光路を例えば９０°変換された位置に緑色光に対応する液晶パネル２８Ｇが配置される。
また、第３のダイクロイックミラー４４の透過側にフィールドレンズ２７Ｂを介して偏光分離部３３Ｂが配置され、偏光分離部３３Ｂにより光路を例えば９０°変換された位置に、青色光に対応する反射型の液晶パネル２８Ｂが配置される。
これら液晶表示パネル２８Ｒ、２８Ｇ及び２８Ｂによって、画像情報に対応して光を変調する光変調装置６２が、それぞれ構成される。
【００３７】
また、図示しないが、偏光分離部３３Ｒ、３３Ｇ、３３Ｂに対応して、それぞれ上述した補償部が設けられることにより、各光変調装置６２に対応する光学装置６４が、それぞれ形成される。この光学装置６４としては、例えば前述した実施形態における構成に例示されたような、本発明に係る光学装置１を用いることができる。
各液晶パネル２８Ｒ、２８Ｇ及び２８Ｂが反射された光の光軸上の、偏光分離部３３Ｒ、３３Ｇ及び３３Ｂを介した位置にクロスプリズム２９が配置され、その出射側に投影レンズ３０等が配置されて投影光学部６３が構成される。
【００３８】
このような構成において、超高圧水銀ランプ等の放電ランプ１２から出射された光束は、リフレクター１３によりほぼ平行光となり、第１及び第２フライアイレンズ１６及び１７により光束の空間分布を均一化され、偏光ビームスプリッター１８により偏光方向をそろえられ、コンデンサーレンズ１９Ｂにより集光されて第２のミラー４１に入射する。この第１のダイクロイックミラー４２において、特定の波長帯域の光が透過され、残りの光が反射されて、ミラー４１に入射される。
【００３９】
ここで、ミラー４１は、第１のダイクロイックミラー４２から反射されてこのミラー４１に入射した光のうち、特定の波長帯域の光を反射して、残りの光を透過するように調整する。
例えば、ミラー４１の分離波長を５７５ｎｍとし、これより長波長側の光を出射させ、短波長側の光を光路から分離する構成とする。つまりこの場合、第１のダイクロイックミラー４２と対向する側の面においては、５７５ｎｍ程度以上の波長の光を反射する特性とする。
また、第１のダイクロイックミラー４２においては、例えば分離波長を５７０ｎｍ程度とし、５７０ｎｍ程度以上の赤色光を反射する構成とする。
そして、上述したように光量を調整された赤色光は、赤色光を変調するフィールドレンズ２７Ｒ、偏光分離部３３Ｒを介して液晶パネル２８Ｒによって、目的とする画像情報に対応して変調される。
【００４０】
一方、放電ランプ１２から出射される光のうち緑色光、青色光は、第２のダイクロイックミラー４３により反射され、ミラー２１により反射されて第３のダイクロイックミラー４４により各色光が分離されて、それぞれ緑色光、青色光を変調するフィールドレンズ２７Ｇ及び２７Ｂ、偏光分離部３３Ｇ及び３３Ｂを介して、液晶パネル２８Ｇ、２８Ｂにより、目的とする画像情報に対応して変調される。変調された各色光がクロスプリズム２９において合成され、投影レンズ３０等より成る投影光学部６３で例えばスクリーン（図示せず）に投影される。
【００４１】
以上、本発明に係る光学装置及び投射装置の実施の形態を説明したが、この実施の形態の説明で挙げた使用材料及びその量、屈折率及び寸法などの数値的条件は好適例に過ぎず、説明に用いた各図における寸法形状及び配置関係も概略的なものである。すなわち、本発明は、この実施の形態に限られるものではない。
【００４２】
例えば、指向性光の光源装置としてＬＥＤ（Light Emitting Diode）などを用いることができるなど、本発明は、種々の変形及び変更をなされうる。
【符号の説明】
【００４３】
１・・・光学装置、２・・・偏光分離部、３・・・補償部、４・・・光源装置、５・・・光変調装置、１２・・・放電ランプ、１３・・・リフレクター、１６・・・第１フライアイレンズ、１７・・・第２フライアイレンズ、１８・・・偏光ビームスプリッター、１９・・・コンデンサーレンズ、２１・・・ミラー、２７Ｒ，２７Ｇ，２７Ｂ・・・フィールドレンズ、２８Ｒ，２８Ｇ，２８Ｂ・・・液晶パネル、２９・・・クロスプリズム、３０・・・投影レンズ、３３Ｒ，３３Ｇ，３３Ｂ・・・偏光分離部、４１・・・ミラー、４２・・・第１のダイクロイックミラー、４３・・・第２のダイクロイックミラー、４４・・・第３のダイクロイックミラー、６０・・・投射装置、６１・・・光源装置、６２・・・光変調装置、６３・・・投影光学部、６４・・・光学装置、１０１・・・従来の光学装置、１０２・・・偏光分離部、１０３・・・補償部、１０４・・・光源装置、１０５・・・光変調装置
【図２】
0005423768.tif 000002
【図３】
0005423768.tif 000003
【図５】
0005423768.tif 000004
【図７】
0005423768.tif 000005
【図１】
0005423768.tif 000006
【図４】
0005423768.tif 000007
【図６】
0005423768.tif 000008
【図８】
0005423768.tif 000009
【図９】
0005423768.tif 000010